(57)【要約】【課題】下地フレームのバリエーション増大を抑制しつつ、見込み寸法の異なる複数種類のサッシ枠を取り付けることが可能なサッシ枠の取付構造を提供する。【解決手段】建物の外壁部１１には窓部１２が設けられ、窓部１２にはサッシ枠１３が取り付けられている。外壁フレーム２２は窓部１２の上縁部に沿って延びる上縁フレーム材２４ａを有し、サッシ枠１３は上縁フレーム材２４ａに沿って延びる上枠部１４を有している。上枠部１４は、上縁フレーム材２４ａに屋外側から対向する第１枠部１４ａと、上縁フレーム材２４ａに窓部１２側から対向する第２枠部１４ｂとを有し、第２枠部１４ｂの一部は上縁フレーム材２４ａよりも屋内側にはみ出している。上縁フレーム材２４ａには、上記はみ出し部４４に上方から対向する対向板部４７ｂを有する受け金具４７が取り付けられている。はみ出し部４４は、受け金具４７の対向板部４７ｂにビス４９により固定されている。【選択図】      図２
2019007268.tif 000002
【特許請求の範囲】
【請求項１】
外壁面材とその屋内側に設けられた下地フレームとを有する外壁部を備え、その外壁部には屋内と屋外とを連通する壁開口部が設けられ、その壁開口部にはサッシ枠が取り付けられているサッシ枠の取付構造であって、
前記下地フレームは、前記壁開口部の周縁部に沿って延びる周縁フレーム材を有し、
前記サッシ枠は、前記周縁フレーム材に沿って延びる枠形成部を有し、
前記枠形成部は、前記周縁フレーム材に屋外側から対向して設けられる第１枠部と、前記周縁フレーム材に前記壁開口部側から対向して設けられる第２枠部とを有しており、
前記第２枠部は、その一部が前記周縁フレーム材よりも屋内側にはみ出してはみ出し部となっており、
前記周縁フレーム材には、前記はみ出し部に対して前記壁開口部とは反対側から対向する対向部を有する受け部材が取り付けられ、
前記第１枠部は、前記周縁フレーム材に第１固定具により固定され、
前記はみ出し部は、前記受け部材の前記対向部に第２固定具により固定されていることを特徴とするサッシ枠の取付構造。
【請求項２】
前記受け部材は、前記周縁フレーム材の長手方向に沿って所定の間隔で複数配置され、
前記第２枠部の前記はみ出し部は、前記各受け部材の前記対向部にそれぞれ前記第２固定具により固定されていることを特徴とする請求項１に記載のサッシ枠の取付構造。
【請求項３】
前記周縁フレーム材において前記第２枠部と対向する面と、前記対向部において前記第２枠部と対向する面とが同一平面上に位置していることを特徴とする請求項１又は２に記載のサッシ枠の取付構造。
【請求項４】
前記第２枠部には、前記壁開口部とは反対側に向けて突出する突出部が設けられ、
前記突出部は、前記周縁フレーム材よりも屋内側に位置していることを特徴とする請求項３に記載のサッシ枠の取付構造。
【請求項５】
前記外壁部は、前記外壁面材に屋内側から対向して設けられる内壁面材を含む内壁パネル部を有し、
前記外壁面材と前記内壁パネル部との間には壁内断熱材が配設されており、
前記対向部は、前記壁内断熱材を受ける断熱材受け部として機能していることを特徴とする請求項１乃至４のいずれか一項に記載のサッシ枠の取付構造。
【請求項６】
前記受け部材は、前記周縁フレーム材の長手方向に沿って所定の間隔で複数配置され、
前記各受け部材は、前記周縁フレーム材の屋内側の面に固定された固定板部と、その固定板部の前記壁開口部側の端部から屋内側に向けて延びる前記対向部としての対向板部とを有してＬ字状に形成され、
前記第２枠部の前記はみ出し部は前記各受け部材の前記対向板部にそれぞれ前記第２固定具により固定され、
前記壁内断熱材として、前記周縁フレーム材よりも前記壁開口部とは反対側に設けられた主断熱材と、前記周縁フレーム材と前記内壁パネル部との間において前記周縁フレーム材に沿って設けられた長尺の副断熱材とを有し、
前記副断熱材は、前記各受け部材に跨がるように設けられ、前記各受け部材の前記固定板部及び前記対向板部により受けられていることを特徴とする請求項５に記載のサッシ枠の取付構造。
【発明の詳細な説明】
【技術分野】
【０００１】
本発明は、サッシ枠の取付構造に関する。
【背景技術】
【０００２】
住宅等の建物では、外壁部が、外壁面材とその裏面側に設けられた下地フレームとを有して構成される場合がある。かかる外壁部に、窓部等の壁開口部が形成され、その壁開口部にサッシ枠が取り付けられる場合、そのサッシ枠が下地フレームに固定されることがある（例えば特許文献１参照）。この場合、下地フレームが、壁開口部の周縁部に沿って延びる周縁フレーム材を有して構成され、その周縁フレーム材に対してサッシ枠が固定される。より詳しくは、サッシ枠において周縁フレーム材に沿って延びる枠形成部（縦枠部や横枠部）が周縁フレーム材に固定される。
【０００３】
ここで、サッシ枠の枠形成部としては、周縁フレーム材に屋外側から対向する第１枠部と、周縁フレーム材に壁開口部側から対向する第２枠部とを有しているものがある。かかる枠形成部では、第１枠部と第２枠部とがそれぞれ周縁フレーム材にビス等で固定される。この場合、第２枠部については、壁厚み方向の長さが比較的長いため、その屋内側の部位がビス等で固定される。
【先行技術文献】
【特許文献】
【０００４】
【特許文献１】特開２００２−１６１６６９号公報
【発明の概要】
【発明が解決しようとする課題】
【０００５】
ところで、サッシ部において断熱性能の向上を図る場合、サッシ枠として見込み寸法（つまり、壁厚み方向の長さ寸法）の大きなものを用いることが考えられる。しかしながら、この場合、枠形成部詳しくは第２枠部の見込み寸法（壁厚み方向の長さ寸法）が大きくなるため、第２枠部の屋内側の部分が周縁フレーム材よりも屋内側にはみ出してしまうおそれがある。そうなると、第２枠部をその屋内側で周縁フレーム材に固定することが困難になるおそれがある。
【０００６】
また、サッシ枠として、見込み寸法の大きいものを用いる場合、それに対応して周縁フレーム材の壁厚み方向の長さも大きくすることが考えられる。ただ、そうすると、サッシ枠の見込み寸法に応じて複数種類の周縁フレーム材ひいては下地フレームを用意しなければならなくなり、下地フレームのバリエーション増大を招くことになってしまう。
【０００７】
本発明は、上記事情に鑑みてなされたものであり、下地フレームのバリエーション増大を抑制しつつ、見込み寸法の異なる複数種類のサッシ枠を取り付けることが可能なサッシ枠の取付構造を提供することを主たる目的とするものである。
【課題を解決するための手段】
【０００８】
上記課題を解決すべく、第１の発明のサッシ枠の取付構造は、外壁面材とその屋内側に設けられた下地フレームとを有する外壁部を備え、その外壁部には屋内と屋外とを連通する壁開口部が設けられ、その壁開口部にはサッシ枠が取り付けられているサッシ枠の取付構造であって、前記下地フレームは、前記壁開口部の周縁部に沿って延びる周縁フレーム材を有し、前記サッシ枠は、前記周縁フレーム材に沿って延びる枠形成部を有し、前記枠形成部は、前記周縁フレーム材に屋外側から対向して設けられる第１枠部と、前記周縁フレーム材に前記壁開口部側から対向して設けられる第２枠部とを有しており、前記第２枠部は、その一部が前記周縁フレーム材よりも屋内側にはみ出してはみ出し部となっており、前記周縁フレーム材には、前記はみ出し部に対して前記壁開口部とは反対側から対向する対向部を有する受け部材が取り付けられ、前記第１枠部は、前記周縁フレーム材に第１固定具により固定され、前記はみ出し部は、前記受け部材の前記対向部に第２固定具により固定されていることを特徴とする。
【０００９】
本発明によれば、サッシ枠の枠形成部のうち、周縁フレーム材に壁開口部側から対向する第２枠部の一部（はみ出し部）が周縁フレーム材よりも屋内側にはみ出している。かかる構成にあって、周縁フレーム材には受け部材が取り付けられ、その受け部材がはみ出し部に壁開口部とは反対側から対向する対向部を有している。この場合、第２枠部のはみ出し部を受け部材の対向部に固定具（第２固定具）により固定することができるため、見込み寸法の比較的大きいサッシ枠（枠形成部）であっても、第２枠部をその屋内側で固定することができる。
【００１０】
また、このようなサッシ枠の取付構造では、サッシ枠として見込み寸法の大きいものを用いる場合には、上述のように受け部材に第２枠部のはみ出し部を固定する一方、サッシ枠として見込み寸法の小さなものを用いる場合（換言すると第２枠部にはみ出し部が存在しない場合）には周縁フレーム材に直接第２枠部を固定すればよい。このため、サッシ枠の見込み寸法に関わらず下地フレーム（周縁フレーム材）として共通のものを用いることができ、その結果、下地フレームのバリエーション増大を抑制しつつ、見込み寸法の異なる複数種類のサッシ枠を取り付けることが可能となる。
【００１１】
第２の発明のサッシ枠の取付構造は、第１の発明において、前記受け部材は、前記周縁フレーム材の長手方向に沿って所定の間隔で複数配置され、前記第２枠部の前記はみ出し部は、前記各受け部材の前記対向部にそれぞれ前記第２固定具により固定されていることを特徴とする。
【００１２】
本発明によれば、受け部材が周縁フレーム材の長手方向に沿って所定の間隔で複数配置され、それら各受け部材の対向部にそれぞれ第２枠部のはみ出し部が固定されている。この場合、受け部材を周縁フレーム材の長手方向に沿った長尺材とする場合と比べ、部材コストの低減を図る等の効果を得ることができる。
【００１３】
第３の発明のサッシ枠の取付構造は、第１又は第２の発明において、前記周縁フレーム材において前記第２枠部と対向する面と、前記対向部において前記第２枠部と対向する面とが同一平面上に位置していることを特徴とする。
【００１４】
本発明によれば、周縁フレーム材において第２枠部と対向する面と、受け部材の対向部において第２枠部と対向する面との間に段差が生じないため、サッシ枠（枠形成部）を屋外側から所定の取付位置に配設する際、第２枠部等が上記段差に引っ掛かることがなく、サッシ枠の配設作業をし易くすることができる。
【００１５】
第４の発明のサッシ枠の取付構造は、第３の発明において、前記第２枠部には、前記壁開口部とは反対側に向けて突出する突出部が設けられ、前記突出部は、前記周縁フレーム材よりも屋内側に位置していることを特徴とする。
【００１６】
ところで、サッシ枠には、第２枠部に壁開口部とは反対側に突出するフィン等の突出部が設けられている場合がある。かかる構成では、周縁フレーム材と受け部材の対向部との間に段差が生じていると、サッシ枠を屋外側から所定の取付位置に配設する際、その段差に突出部が特に引っ掛かり易いと考えられる。その点本発明では、かかる構成に上記第３の発明を適用しているため、こうした構成であっても、突出部が段差に引っ掛かることがなく、サッシ枠の配設作業を好適に行うことができる。
【００１７】
第５の発明のサッシ枠の取付構造は、第１乃至第４のいずれかの発明において、前記外壁部は、前記外壁面材に屋内側から対向して設けられる内壁面材を含む内壁パネル部を有し、前記外壁面材と前記内壁パネル部との間には壁内断熱材が配設されており、前記対向部は、前記壁内断熱材を受ける断熱材受け部として機能していることを特徴とする。
【００１８】
本発明によれば、外壁面材と内壁パネル部との間に壁内断熱材が設けられ、その壁内断熱材が受け部材の対向部によって受けられている。この場合、受け部材を第２枠部の取付下地として用いるだけでなく、壁内断熱材の受け部として用いることができる。そのため、受け部材の有効利用を図ることができる。
【００１９】
第６の発明のサッシ枠の取付構造は、第５の発明において、前記受け部材は、前記周縁フレーム材の長手方向に沿って所定の間隔で複数配置され、前記各受け部材は、前記周縁フレーム材の屋内側の面に固定された固定板部と、その固定板部の前記壁開口部側の端部から屋内側に向けて延びる前記対向部としての対向板部とを有してＬ字状に形成され、前記第２枠部の前記はみ出し部は前記各受け部材の前記対向板部にそれぞれ前記第２固定具により固定され、前記壁内断熱材として、前記周縁フレーム材よりも前記壁開口部とは反対側に設けられた主断熱材と、前記周縁フレーム材と前記内壁パネル部との間において前記周縁フレーム材に沿って設けられた長尺の副断熱材とを有し、前記副断熱材は、前記各受け部材に跨がるように設けられ、前記各受け部材の前記固定板部及び前記対向板部により受けられていることを特徴とする。
【００２０】
本発明によれば、Ｌ字状の受け部材が周縁フレーム材の長手方向に沿って所定の間隔で複数配置され、それら各受け部材の対向板部に第２枠部のはみ出し部がそれぞれ固定されている。これにより、上記第２の発明と同様の効果を得ることができる。
【００２１】
また、壁内断熱材として、互いに別体（別部材）からなる主断熱材と副断熱材とが設けられているため、主断熱材については厚みを大きくして形成し、副断熱材については周縁フレーム材と内壁パネル部との間に納まる厚みで形成したりすることが可能となる。また、副断熱材については各受け部材に跨がる状態で配設され、その配設状態で各受け部材の固定板部及び対向板部により受け止められているため、長尺の副断熱材であっても受け部材を上手く利用しながら安定した状態で配設することが可能となる。
【図面の簡単な説明】
【００２２】
【図１】外壁部を示す正面図。
【図２】上枠部周辺の構成を示す縦断面図。
【図３】他の実施形態における受け金具の取付構成を示す図。
【図４】他の実施形態における受け金具の取付構成を示す図。
【発明を実施するための形態】
【００２３】
以下に、本発明を具体化した一実施の形態について図面を参照しつつ説明する。なお、図１は外壁部を示す正面図である。
【００２４】
図１に示すように、住宅等の建物１０には、屋内と屋外とを仕切る外壁部１１が設けられている。外壁部１１には、壁開口部としての窓部１２が設けられ、その窓部１２を介して屋内と屋外とが連通されている。窓部１２には、その周縁部にサッシ枠１３が取り付けられている。サッシ枠１３は、矩形枠状に形成され、窓部１２の上縁部に沿って延びる上枠部１４と、窓部１２の下縁部に沿って延びる下枠部１５と、窓部１２の各側縁部に沿って延びる一対の縦枠部１６とを有する。なお、これら各枠部１４〜１６がそれぞれ枠形成部に相当する。また、サッシ枠１３の内側には引き違い式のサッシ戸１８が設けられている。このサッシ戸１８により窓部１２が開閉される。また、本建物１０では、サッシ部１３，１８において断熱性能の向上を図るべく、サッシ枠１３としてその見込み寸法（壁厚み方向の長さ寸法）が比較的大きなものが用いられている。
【００２５】
外壁部１１は、屋外面を形成する外壁面材２１と、その外壁面材２１の裏面側（屋内側）に設けられた外壁フレーム２２とを有している。外壁面材２１は、窯業系サイディングボードにより形成され、壁幅方向に並んで複数配置されている。なお、外壁フレーム２２が下地フレームに相当する。
【００２６】
外壁フレーム２２は、鋼材からなる複数のフレーム材２３，２４を有し、それら各フレーム材２３，２４が矩形枠状に連結されることで構成されている。外壁フレーム２２は、外壁面材２１と同様、壁幅方向に並んで複数配置され、それら外壁フレーム２２に外壁面材２１がビス等で固定されている。なお、外壁フレーム２２と外壁面材２１とは例えば１対１の関係で設けられ、それら１対１の外壁フレーム２２及び外壁面材２１により外壁パネル２５が構成されている。
【００２７】
外壁フレーム２２は、フレーム材２３，２４として、上下に延びる一対の縦フレーム材２３と、それら各縦フレーム材２３に架け渡された複数の横フレーム材２４とを有する。各外壁フレーム２２のうち、内側に窓部１２が形成された外壁フレーム２２（以下、２２Ａとする）では、各縦フレーム材２３が窓部１２の側縁部に沿って配設されている。この場合、これら各縦フレーム材２３を側縁フレーム材ということもできる。また、外壁フレーム２２Ａでは、横フレーム材２４として、窓部１２の上縁部に沿って配設された上縁フレーム材２４ａと、窓部１２の下縁部に沿って配設された下縁フレーム材２４ｂとが設けられている。外壁フレーム２２Ａでは、各縦フレーム材２３と上縁フレーム材２４ａと下縁フレーム材２４ｂとがそれぞれ窓部１２の周縁部に沿って延びる周縁フレーム材に相当し、それら周縁フレーム材２３，２４ａ，２４ｂの内側に窓部１２が配置されている。そして、それら周縁フレーム材２３，２４ａ，２４ｂに対してサッシ枠１３が取り付けられている。
【００２８】
ちなみに、サッシ枠１３を周縁フレーム材２３，２４ａ，２４ｂに取り付ける際には、まずサッシ枠１３を屋外側から所定の取付位置に配設し、その後、サッシ枠１３をビスにより周縁フレーム材２３，２４ａ，２４ｂに取り付けることとなる。
【００２９】
次に、サッシ枠１３の上枠部１４周辺の構成について図２に基づいて説明する。図２は、上枠部１４周辺の構成を示す縦断面図である。なお、図２は図１のＡ−Ａ線断面図に相当する。
【００３０】
図２に示すように、外壁部１１は、外壁面材２１に加え、その外壁面材２１の屋内側に設けられた内壁面材２７を備えている。内壁面材２７は石膏ボードにより形成され、壁幅方向に並んで複数配置されている。内壁面材２７の裏面側（屋外側）には内壁フレーム２８が設けられている。内壁フレーム２８は、木製のフレーム材が矩形枠状に連結されることで構成されている。内壁フレーム２８は、内壁面材２７と同様、壁幅方向に並んで複数配置され、それら内壁フレーム２８に内壁面材２７がビス等で固定されている。なお、内壁面材２７と内壁フレーム２８とは例えば１対１の関係で設けられ、それら１対１の内壁フレーム２８及び内壁面材２７により内壁パネル２６（内壁パネル部に相当）が構成されている。
【００３１】
外壁面材２１と内壁面材２７（内壁パネル２６）との間の壁内空間２９には、壁内断熱材として、主断熱材３８と副断熱材３９とが設けられている。これらの断熱材３８，３９はいずれもグラスウールからなる。主断熱材３８は、壁内空間２９において周縁フレーム材２３，２４ａ，２４ｂよりも窓部１２外周側に設けられ、換言すると周縁フレーム材２３，２４ａ，２４ｂよりも反窓部１２側（窓部１２とは反対側）に設けられている。主断熱材３８は、所定の厚みを有する板状に形成され、その厚み（壁厚み方向の長さ）が比較的大きくされている。詳しくは、主断熱材３８の厚みは、周縁フレーム材２３，２４ａ，２４ｂと内壁面材２７との間隔（離間寸法）よりも大きくされている。
【００３２】
副断熱材３９は、上縁フレーム材２４ａと内壁パネル２６との間に配設され、上縁フレーム材２４ａに沿って延びる長尺状に形成されている。副断熱材３９は、その厚み（壁厚み方向の寸法）が主断熱材３８よりも小さくされ、その主断熱材３８と連続させて配設されている。
【００３３】
窓部１２には、サッシ枠１３に加え、そのサッシ枠１３の屋内側に窓枠３１が設けられている。窓枠３１は、矩形枠状に形成され、内壁フレーム２８に取り付けられている。詳しくは、内壁フレーム２８は、その一部のフレーム材が窓部１２の周縁部に沿って配設されており、その一部のフレーム材に対して窓枠３１が取り付けられている。
【００３４】
外壁部１１において外壁フレーム２２の上縁フレーム材２４ａは、断面コ字状の溝形鋼からなる。上縁フレーム材２４ａは、その溝部を上方に向けた状態で配設され、換言すると、その溝部を窓部１２とは反対側に向けた状態で配設されている。上縁フレーム材２４ａは、外壁部１１の壁厚み方向に延びるウェブ部３３と、そのウェブ部３３の壁厚み方向の両端部から上方（窓部１２とは反対側）に延びる一対のフランジ部３４，３５とを有している。各フランジ部３４，３５は壁厚み方向に対向しており、そのうちフランジ部３４が屋外側に配置され、フランジ部３５が屋内側に配置されている。屋外側のフランジ部３４には、その屋外側面に外壁面材２１がビス等で固定されている。フランジ部３４は、その一部が外壁面材２１よりも下方に延出して延出部３４ａとなっている。
【００３５】
上枠部１４は、アルミ製の押し出し成形品より、その断面形状が長手方向全域に亘って同じとなっている。上枠部１４は、上縁フレーム材２４ａのフランジ部３４（詳しくは延出部３４ａ）に屋外側から対向して設けられる第１枠部１４ａと、上縁フレーム材２４ａのウェブ部３３に下側から対向して設けられる第２枠部１４ｂとを有している。第１枠部１４ａは、上縁フレーム材２４ａのフランジ部３４から屋外側に離間した位置に配置され、上下方向に延びている。また、第２枠部１４ｂは、上縁フレーム材２４ａのウェブ部３３から下側に離間した位置に配置され、壁厚み方向に延びている。
【００３６】
第２枠部１４ｂには、当該枠部１４ｂから下方に延びる一対の案内レール部１４ｃが設けられている。これらの案内レール部１４ｃは、サッシ戸１８上端にて開放された案内溝３７に入り込んでいる。この入り込み状態でサッシ戸１８の開閉が案内レール部１４ｃに沿って案内されるようになっている。
【００３７】
また、第２枠部１４ｂには、当該枠部１４ｂから上方に（換言すると窓部１２とは反対側に）突出する突出部としてのフィン４５が設けられている。フィン４５は、上縁フレーム材２４ａよりも屋内側に配置されている。詳しくは、フィン４５は、第２枠部１４ｂから上方に延びる鉛直板部４５ａと、鉛直板部４５ａの上端部から水平方向（詳しくは屋内側）に延びる水平板部４５ｂとを有している。
【００３８】
続いて、上縁フレーム材２４ａに対する上枠部１４の取付構造について説明する。
【００３９】
上枠部１４の第１枠部１４ａは、その上部がビス４１により上縁フレーム材２４ａのフランジ部３４（詳しくはその延出部３４ａ）に固定されている。詳しくは、第１枠部１４ａとフランジ部３４との間にはゴム材等からなる止水部材４２が介在され、その止水部材４２は第１枠部１４ａ及びフランジ部３４に沿って延びる長尺材となっている。そして、ビス４１は、屋外側から第１枠部１４ａと止水部材４２とを貫通してフランジ部３４に打ち込まれている。また、ビス４１は、上枠部１４の長手方向に所定の間隔で複数配置されている。なお、ビス４１が第１固定具に相当する。
【００４０】
上枠部１４の第２枠部１４ｂは、その一部が上縁フレーム材２４ａよりも屋内側にはみ出してはみ出し部４４となっている。すなわち、本実施形態では、上述したように、サッシ枠１３（上枠部１４）として、見込み寸法（壁厚み方向の長さ寸法）が比較的大きなものを用いているため、第２枠部１４ｂの見込み寸法も大きくなっており、その結果、第２枠部１４ｂの一部が上縁フレーム材２４ａよりも屋内側にはみ出した状態となっている。
【００４１】
ここで、かかる構成では、はみ出し部４４の上方に上縁フレーム材２４ａが存在しないため、はみ出し部４４を上縁フレーム材２４ａに固定することが困難となっている。つまり、かかる構成では、第２枠部１４ｂをその屋内側で上縁フレーム材２４ａに固定することが困難となっている。そこで、本実施形態では、その点に対する対策として、上縁フレーム材２４ａの屋内側に受け金具４７を取り付け、その受け金具４７にはみ出し部４４を固定するようにしている。以下、かかる受け金具４７に対する固定構成について説明する。
【００４２】
受け金具４７は、鋼板によりＬ字状に形成され、上縁フレーム材２４ａのフランジ部３５の屋内側面に溶接固定された固定板部４７ａと、その固定板部４７ａの下端部（窓部１２側の端部）から屋内側に延び上枠部１４の第２枠部１４ｂ（詳しくははみ出し部４４）と上下に対向する対向板部４７ｂとを有する。受け金具４７は、上縁フレーム材２４ａの長手方向に沿って所定間隔で複数配置されている。また、受け金具４７は、その厚みが上縁フレーム材２４ａの厚みよりも大きくされている。なお、受け金具４７が受け部材に相当し、対向板部４７ｂが対向部に相当する。
【００４３】
固定板部４７ａは、その上下方向の長さが対向板部４７ｂの壁厚み方向の長さと同じとされている。また、固定板部４７ａの上下方向の長さは上縁フレーム材２４ａのフランジ部３５の上下方向の長さよりも小さくされている。
【００４４】
対向板部４７ｂは、その下面が上縁フレーム材２４ａ（詳しくはウェブ部３３）の下面と同一平面上に位置している。対向板部４７ｂの下方には上枠部１４（第２枠部１４ｂ）のフィン４５が配置されている。対向板部４７ｂとフィン４５（詳しくは水平板部４５ｂ）との間には若干の隙間が存在している。また、対向板部４７ｂは、内壁パネル２６から屋外側に離間して配置されている。
【００４５】
各受け金具４７の対向板部４７ｂには、上枠部１４の第２枠部１４ｂのはみ出し部４４がビス４９により固定されている。ビス４９は、はみ出し部４４をその下方から貫通し、その貫通状態で対向板部４７ｂに打ち込まれている。なお、ビス４９が第２固定具に相当する。
【００４６】
上述した副断熱材３９は、各受け金具４７に跨がって配設されている。副断熱材３９は、その配設状態で各受け金具４７の固定板部４７ａ及び対向板部４７ｂの内面に密着して配置されている。この場合、各受け金具４７の固定板部４７ａ及び対向板部４７ｂにより副断熱材３９が受け止められており（保持されており）、受け金具４７が上枠部１４の取付下地としてだけでなく、副断熱材３９を受ける役割も果たしている。
【００４７】
以上、詳述した本実施形態の構成によれば、以下の優れた効果が得られる。
【００４８】
上縁フレーム材２４ａの屋内側に受け金具４７を取り付け、その受け金具４７が上枠部１４の第２枠部１４ｂのはみ出し部４４に上方（窓部１２とは反対側）から対向する対向板部４７ｂを有する構成とした。この場合、第２枠部１４ｂのはみ出し部４４を対向板部４７ｂにビス４９により固定することができるため、見込み寸法の比較的大きいサッシ枠１３（上枠部１４）であっても、第２枠部１４ｂをその屋内側で固定することができる。
【００４９】
また、こうしたサッシ枠１３の取付構造では、サッシ枠１３として見込み寸法の大きいものを用いる場合には、上述のように、受け金具４７に第２枠部１４ｂのはみ出し部４４を固定する一方、サッシ枠１３として見込み寸法の小さいものを用いる場合（換言すると第２枠部１４ｂにはみ出し部４４が存在しない場合）には上縁フレーム材２４ａに直接第２枠部１４ｂを固定すればよい。このため、サッシ枠１３の見込み寸法に関わらず外壁フレーム２２（上縁フレーム材２４ａ）として共通のものを用いることができ、その結果、外壁フレーム２２のバリエーション増大を抑制しつつ、見込み寸法の異なる複数種類のサッシ枠１３を取り付けることが可能となる。
【００５０】
受け金具４７を上縁フレーム材２４ａの長手方向に沿って所定の間隔で複数配置し、それら各受け金具４７の対向板部４７ｂにそれぞれ第２枠部１４ｂのはみ出し部４４を固定した。この場合、受け金具４７を上縁フレーム材２４ａの長手方向に沿った長尺材とする場合と比べ、部材コストの低減を図る等の効果を得ることができる。
【００５１】
上縁フレーム材２４ａの下面（つまり第２枠部１４ｂと対向する面）と、受け金具４７の対向板部４７ｂの下面（つまり第２枠部１４ｂと対向する面）とを同一平面上に位置させた。この場合、上記各下面の間に段差が生じないため、サッシ枠１３（上枠部１４）を屋外側から所定の取付位置に配設する際、第２枠部１４ｂ等が上記段差に引っ掛かることがなく、サッシ枠１３の配設作業をし易くすることができる。
【００５２】
また、上記の実施形態では、第２枠部１４ｂに上方に突出するフィン４５が設けられ、そのフィン４５が上縁フレーム材２４ａよりも屋内側に配置されていたため、上縁フレーム材２４ａの下面と受け金具４７（対向板部４７ｂ）の下面との間に段差が生じていると、サッシ枠１３の配設作業に際し、その段差にフィン４５が特に引っ掛かり易いと考えられる。その点、上記の実施形態では、こうした構成において上縁フレーム材２４ａ及び受け金具４７の各下面間に段差を生じさせないようにしたため、フィン４５が段差に引っ掛かることがなく、サッシ枠１３の配設作業を好適に行うことが可能となる。
【００５３】
また、各受け金具４７の対向板部４７ｂの下面を上縁フレーム材２４ａの下面と同一平面上に位置させたため、各受け金具４７を上縁フレーム材２４ａに取り付けるに際し、各受け金具４７の位置合わせを容易とすることができる。
【００５４】
壁内空間２９に設けた壁内断熱材（具体的には副断熱材３９）を各受け金具４７により受ける構成としたため、受け金具４７を上枠部１４の第２枠部１４ｂの取付下地として用いることに加え、壁内断熱材を受ける断熱材受け部として用いることができる。これにより、受け金具４７の有効活用を図ることができる。
【００５５】
具体的には、壁内空間２９に、壁内断熱材として、上縁フレーム材２４ａよりも上側（窓部１２とは反対側）に主断熱材３８を設け、上縁フレーム材２４ａと内壁パネル２６との間に副断熱材３９を設けた。これにより、主断熱材３８については厚みを大きく形成し、副断熱材３９については上縁フレーム材２４ａと内壁パネル２６との間に納まる厚みで形成するといったことが可能となる。
【００５６】
また、こうした構成にあって、副断熱材３９を各受け金具４７に跨がる状態で設け、各受け金具４７の固定板部４７ａ及び対向板部４７ｂにより副断熱材３９を受け止める（受ける）構成とした。これにより、長尺の副断熱材３９であっても受け金具４７を上手く利用しながら安定した状態で配設することができる。
【００５７】
本発明は上記実施形態に限らず、例えば次のように実施されてもよい。
【００５８】
（１）上記実施形態では、受け部材としての受け金具４７を上縁フレーム材２４ａに沿って複数配置したが、これを変更して、受け部材を上縁フレーム材２４ａに沿って長尺状に形成し、それを１つだけ配置してもよい。そして、その受け部材に対して第２枠部１４ｂのはみ出し部４４をビス４９により複数箇所で固定してもよい。
【００５９】
（２）上記実施形態では、受け金具４７（詳しくは対向板部４７ｂ）の下面を上縁フレーム材２４ａ（詳しくはウェブ部３３）の下面と同一平面上に位置させたが、受け金具４７の下面を上縁フレーム材２４ａの下面よりも上方又は下方に位置させてもよい。但し、かかる構成とすると、受け金具４７及び上縁フレーム材２４ａの各下面間に段差が生じるため、その点を鑑みると、上記実施形態のように上記各下面を同一平面上に位置させるのが望ましい。
【００６０】
（３）上記実施形態では、受け金具４７を上縁フレーム材２４ａに溶接により固定したが、受け金具４７をビスやボルト等の固定具により固定する等、他の固定方法で固定してもよい。
【００６１】
例えば、図３に示すような固定方法を採用してもよい。以下、かかる固定方法について図３を参照しながら説明する。なお、図３において（ａ）は受け金具を上縁フレーム材２４ａに取り付ける取付構成を示す分解斜視図であり、（ｂ）が受け金具を示す斜視図であり、（ｃ）が（ｂ）のＢ−Ｂ線断面図である。図３（ａ）〜（ｃ）に示すように、上縁フレーム材２４ａのフランジ部３５には矩形の開口部５５が形成されている。一方、受け金具４７には、そのフランジ部３５における開口部５５の周縁部に嵌合する嵌合溝部５６が設けられている。この嵌合溝部５６に上記周縁部が嵌合する（嵌まる）ことで、受け金具４７が上縁フレーム材２４ａに固定されている。
【００６２】
詳しくは、受け金具４７の固定板部４７ａには矩形の開口部５７が形成され、その固定板部４７ａにおける開口部５７の各側縁部から屋外側に延びるように一対の突出部５８が設けられている。各突出部５８は、上記各側縁部から屋外側に延びるにつれ互いに離間するように壁厚み方向に対して傾斜する基端部分５８ａと、その基端部分５８ａから屋外側に延びるにつれ互いに近づくように壁厚み方向に対して傾斜する先端部分５８ｂとを有する。そして、各突出部５８の基端部分５８ａと固定板部４７ａとの間にそれぞれ嵌合溝部５６が形成されている。かかる構成では、受け金具４７の各突出部５８を屋内側から上縁フレーム材２４ａ（フランジ部３５）の開口部５５に挿入し、その挿入状態で受け金具４７の各嵌合溝部５６にフランジ部３５の開口部５５の周縁部を嵌め込むといった簡単な作業で、受け金具４７を上縁フレーム材２４ａに取り付けることが可能となる。
【００６３】
（４）受け金具４７は必ずしも上記実施形態のようにＬ字状に形成する必要はなく、他の形態で形成してもよい。その一例を図４に示す。図４に示す受け金具６０は、鋼板を折り曲げ形成してなる。受け金具６０は、上縁フレーム材２４ａ（ウェブ部３３）の下面側に配置された横板部６１と、その横板部６１から上方に延びるとともに壁厚み方向における上縁フレーム材２４ａを挟んだ両側に配置された起立部６２，６３とを備える。横板部６１は、ウェブ部３３の下面（換言すると窓部１２側の面）に重ねられた重ね板部６１ａと、上縁フレーム材２４ａよりも屋内側に延出した延出部６１ｂとを有している。この場合、延出部６１ｂに対して第２枠部１４ｂのはみ出し部４４がビス４９により固定される。したがって、延出部６１ｂが対向部に相当する。
【００６４】
また、各起立部６２，６３のうち、屋外側の起立部６２が上縁フレーム材２４ａのフランジ部３４に取り付けられ、屋内側の起立部６３が上縁フレーム材２４ａのフランジ部３５に取り付けられている。詳しくは、起立部６２の上端部には屋内側に折り曲げられることで引っ掛け部６２ａが形成され、その引っ掛け部６２ａがフランジ部３４（詳しくは延出部３４ａ）に形成された矩形の開口部６５の下縁部に引っ掛けられている。また、起立部６３の上端部には屋外側に折り曲げられることで引っ掛け部６３ａが形成され、その引っ掛け部６３ａがフランジ部３５の上端部に引っ掛けられている。これら引っ掛け部６２ａ，６３ａの引っ掛けにより各起立部６２，６３がそれぞれフランジ部３４，３５に取り付けられ、それによって受け金具６０が上縁フレーム材２４ａに取り付けられている。
【００６５】
かかる構成においても、各引っ掛け部６２ａ，６３ａをフランジ部３４，３５に引っ掛けるといった比較的簡単な作業で受け金具６０を上縁フレーム材２４ａに取り付けることができる。また、各フランジ部３４，３５にそれぞれ引っ掛け部６２ａ，６３ａを引っ掛けたことで、引っ掛け構造であっても比較的安定した状態で受け金具６０を取り付けることができる。
【００６６】
また、より詳しくは、延出部６１ｂは重ね板部６１ａよりも幅広に形成され、その幅方向（上縁フレーム材２４ａの長手方向）の両側が重ね板部６１ａからはみ出ている。そして、それらはみ出た部分からそれぞれ起立部６３が上方へ延びフランジ部３５に取り付けられている。つまり、屋内側の起立部６３については上縁フレーム材２４ａの長手方向に所定の間隔で一対設けられ、それら各起立部６３の引っ掛け部６３ａがそれぞれフランジ部３５の上端部に引っ掛けられている。これにより、第２枠部１４ｂが固定される延出部６１ｂ側を安定した状態で保持することが可能となっている。
【００６７】
（５）上記実施形態では、上枠部１４の第１枠部１４ａを上縁フレーム材２４ａにビス４１（第１固定具に相当）により固定し、第２枠部１４ｂを受け金具４７にビス４９（第２固定具に相当）により固定したが、第１固定具及び第２固定具は必ずしもビスである必要はなく、ねじや釘等ビス以外の固定具であってもよい。
【００６８】
（６）上記実施形態では、サッシ枠１３の上枠部１４（枠形成部に相当）を上縁フレーム材２４ａ（周縁フレーム材に相当）に取り付けるに際し本発明の取付構造を適用したが、サッシ枠１３の下枠部１５（枠形成部に相当）を下縁フレーム材２４ｂ（周縁フレーム材に相当）に取り付ける場合や、サッシ枠１３の縦枠部１６（枠形成部に相当）を縦フレーム材２３（周縁フレーム材に相当）に取り付ける場合に本発明の取付構造を適用してもよい。
【符号の説明】
【００６９】
１０…建物、１１…外壁部、１２…壁開口部としての窓部、１３…サッシ枠、１４…枠形成部としての上枠部、１４ａ…第１枠部、１４ｂ…第２枠部、２１…外壁面材、２２…下地フレームとしての外壁フレーム、２４ａ…周縁フレーム材としての上縁フレーム材、２６…内壁パネル部としての内壁パネル、２７…内壁面材、３８…主断熱材、３９…副断熱材、４１…第１固定具としてのビス、４４…はみ出し部、４５…突出部としてのフィン、４７…受け部材としての受け金具、４７ａ…固定板部、４７ｂ…対向部としての対向板部、４９…第２固定具としてのビス。
【図１】
2019007268.tif 000003
【図２】
2019007268.tif 000004
【図３】
2019007268.tif 000005
【図４】
2019007268.tif 000006